(57)【要約】【課題】本発明は、信号成分の損失が増加することなく、より多くのノイズを除去することができるノイズフィルタを提供することを目的とするものである。【解決手段】本発明のノイズフィルタは、第１〜第４のコイル２１〜２４を備えた積層体１１と、前記第１、第２のコイル２１，２２の接続部２５から積層体１１の異なる側面１１ａ，１１ｂに引き出された第１、第２の引出電極２６ａ，２６ｂと、前記第３、第４のコイル２３，２４の接続部２７から積層体１１の異なる側面１１ａ，１１ｂに引き出された第３、第４の引出電極２８ａ，２８ｂとを備え、前記第１のコイル２１と第２のコイル２２とを互いに磁気結合させないようにするとともに、第３のコイル２３と第４のコイル２４とを互いに磁気結合させないようにし、かつ前記第１のコイル２１と第３のコイル２３とを磁気結合させ、さらに前記第２のコイル２２と第４のコイル２４とを磁気結合させたものである。【選択図】図１
2010124270.tif 000002
【特許請求の範囲】
【請求項１】
互いに接続された第１のコイルおよび第２のコイルと、互いに接続された第３のコイルおよび第４のコイルと、前記第１〜第４のコイルを備えた積層体と、前記第１のコイルと第２のコイルとの接続部から前記積層体の異なる側面にそれぞれ引き出された第１、第２の引出電極と、前記第３のコイルと第４のコイルとの接続部から前記積層体の異なる側面にそれぞれ引き出された第３、第４の引出電極とを備え、前記第１のコイルと第２のコイルとを互いに磁気結合させないようにするとともに、前記第３のコイルと第４のコイルとを互いに磁気結合させないようにし、かつ前記第１のコイルと第３のコイルとを磁気結合させ、さらに前記第２のコイルと第４のコイルとを磁気結合させたノイズフィルタ。
【請求項２】
互いに接続された第１のコイルおよび第２のコイルと、前記第１、第２のコイルを備えた積層体と、前記第１のコイルと第２のコイルとの接続部から前記積層体の異なる側面にそれぞれ引き出された第１、第２の引出電極とを備え、前記第１のコイルと第２のコイルとを互いに磁気結合させないようにしたノイズフィルタ。
【請求項３】
積層体と、前記積層体を構成し下から順に積層された磁性体からなる第１〜第４の絶縁層と、前記第１の絶縁層に形成された第１、第２の導体と、前記第２の絶縁層に形成された第３、第４の導体と、前記第３の絶縁層に形成された第５、第６の導体と、前記第４の絶縁層に形成された第７、第８の導体と、前記第１の導体と前記第３の導体を接続することによって形成された第１のコイルと、前記第２の導体と前記第４の導体を接続することによって形成された第２のコイルと、前記第５の導体と前記第７の導体を接続することによって形成された第３のコイルと、前記第６の導体と前記第８の導体を接続することによって形成された第４のコイルとを備え、前記第１の絶縁層または第２の絶縁層において前記第１のコイルと第２のコイルを接続し、その接続部から前記積層体の異なる側面にそれぞれ引き出された第１、第２の引出電極を有し、かつ前記第３の絶縁層または第４の絶縁層において前記第３のコイルと第４のコイルを接続し、その接続部から前記積層体の異なる側面にそれぞれ引き出された第３、第４の引出電極を有し、前記第１のコイルと第２のコイルの引出部を前記積層体の一側面から引き出し、前記第３のコイルと第４のコイルの引出部を前記積層体の他側面から引き出すようにし、前記第１のコイルと第２のコイルとを互いに磁気結合させないようにするとともに、前記第３のコイルと第４のコイルとを互いに磁気結合させないようにし、かつ前記第１のコイルと第３のコイルとを磁気結合させ、さらに前記第２のコイルと第４のコイルとを磁気結合させたノイズフィルタ。
【発明の詳細な説明】
【技術分野】
【０００１】
本発明は、デジタル機器やＡＶ機器、情報通信端末等の各種電子機器に使用されるノイズフィルタに関するものである。
【背景技術】
【０００２】
従来のこの種のノイズフィルタは、図９に示すように、第１〜第４の絶縁層１ａ〜１ｄの各々の上面にそれぞれ第１〜第４の導体２ａ，２ｂ，３ａ，３ｂを設け、そして第１の導体２ａと渦巻き状の第２の導体２ｂとをバイア電極４ａを介して接続することにより第１のコイル２を形成するとともに、渦巻き状の第３の導体３ａと第４の導体３ｂとをバイア電極４ｂを介して接続することにより第２のコイル３を形成し、さらに第４の導体３ｂの上面と第１の絶縁層１ａの下面に磁性体からなる第５の絶縁層５をそれぞれ設けていた。
【０００３】
なお、この出願の発明に関する先行技術文献情報としては、例えば、特許文献１が知られている。
【特許文献１】特開２００１−７６９３０号公報
【発明の開示】
【発明が解決しようとする課題】
【０００４】
上記した従来のノイズフィルタにおいては、図１０に示すようにコンデンサ６，７と組み合わせることにより、図１１で示すような減衰特性を得ることができる。一方、より多くのノイズを除去しようとした場合、第１〜第４の導体２ａ，２ｂ，３ａ，３ｂのうち、少なくともいずれかの導体のターン数を増やすこと等によってコイルのインピーダンスを増加させる必要があり、インピーダンスが増加すれば、カットオフ周波数が低下し、また、導体のターン数を増やせば、コイルの直流抵抗成分が増加してしまう。このようにカットオフ周波数が低下したり、コイルの直流抵抗成分が増加したりすると、信号成分の損失が増加してしまうという課題を有していた。
【０００５】
本発明は上記従来の課題を解決するもので、信号成分の損失が増加することなく、より多くのノイズを除去することができるノイズフィルタを提供することを目的とするものである。
【課題を解決するための手段】
【０００６】
上記目的を達成するために、本発明は以下の構成を有するものである。
【０００７】
本発明の請求項１に記載の発明は、互いに接続された第１のコイルおよび第２のコイルと、互いに接続された第３のコイルおよび第４のコイルと、前記第１〜第４のコイルを備えた積層体と、前記第１のコイルと第２のコイルとの接続部から前記積層体の異なる側面にそれぞれ引き出された第１、第２の引出電極と、前記第３のコイルと第４のコイルとの接続部から前記積層体の異なる側面にそれぞれ引き出された第３、第４の引出電極とを備え、前記第１のコイルと第２のコイルとを互いに磁気結合させないようにするとともに、前記第３のコイルと第４のコイルとを互いに磁気結合させないようにし、かつ前記第１のコイルと第３のコイルとを磁気結合させ、さらに前記第２のコイルと第４のコイルとを磁気結合させたもので、この構成によれば、コイルとコイルとの接続部から引き出された２本の引出電極にコンデンサを接続することができるため、１ラインにつきコイル２個にコンデンサ２個を組み合わせることができ、これにより、インピーダンスを増加させることなくより多くのノイズを除去することができ、また、インピーダンスが増加しないため、信号成分の損失が増加することもないという作用効果が得られるものである。
【０００８】
本発明の請求項２に記載の発明は、互いに接続された第１のコイルおよび第２のコイルと、前記第１、第２のコイルを備えた積層体と、前記第１のコイルと第２のコイルとの接続部から前記積層体の異なる側面にそれぞれ引き出された第１、第２の引出電極とを備え、前記第１のコイルと第２のコイルとを互いに磁気結合させないようにしたもので、この構成によれば、コイルとコイルとの接続部から引き出された２本の引出電極にコンデンサを接続することができるため、コイル２個にコンデンサ２個を組み合わせることができ、これにより、インピーダンスを増加させることなくより多くのノイズを除去することができる。また、インピーダンスが増加しないため、信号成分の損失が増加することもないという作用効果が得られるものである。
【０００９】
本発明の請求項３に記載の発明は、積層体と、前記積層体を構成し下から順に積層された磁性体からなる第１〜第４の絶縁層と、前記第１の絶縁層に形成された第１、第２の導体と、前記第２の絶縁層に形成された第３、第４の導体と、前記第３の絶縁層に形成された第５、第６の導体と、前記第４の絶縁層に形成された第７、第８の導体と、前記第１の導体と前記第３の導体を接続することによって形成された第１のコイルと、前記第２の導体と前記第４の導体を接続することによって形成された第２のコイルと、前記第５の導体と前記第７の導体を接続することによって形成された第３のコイルと、前記第６の導体と前記第８の導体を接続することによって形成された第４のコイルとを備え、前記第１の絶縁層または第２の絶縁層において前記第１のコイルと第２のコイルを接続し、その接続部から前記積層体の異なる側面にそれぞれ引き出された第１、第２の引出電極を有し、かつ前記第３の絶縁層または第４の絶縁層において前記第３のコイルと第４のコイルを接続し、その接続部から前記積層体の異なる側面にそれぞれ引き出された第３、第４の引出電極を有し、前記第１のコイルと第２のコイルの引出部を前記積層体の一側面から引き出し、前記第３のコイルと第４のコイルの引出部を前記積層体の他側面から引き出すようにし、前記第１のコイルと第２のコイルとを互いに磁気結合させないようにするとともに、前記第３のコイルと第４のコイルとを互いに磁気結合させないようにし、かつ前記第１のコイルと第３のコイルとを磁気結合させ、さらに前記第２のコイルと第４のコイルとを磁気結合させたもので、この構成によれば、同じ絶縁層に２つのコイルを形成しているため、薄型化が可能になるという作用効果が得られるものである。
【発明の効果】
【００１０】
以上のように本発明のノイズフィルタは、互いに接続された第１のコイルおよび第２のコイルと、互いに接続された第３のコイルおよび第４のコイルと、前記第１〜第４のコイルを備えた積層体と、前記第１のコイルと第２のコイルとの接続部から前記積層体の異なる側面にそれぞれ引き出された第１、第２の引出電極と、前記第３のコイルと第４のコイルとの接続部から前記積層体の異なる側面にそれぞれ引き出された第３、第４の引出電極とを備え、前記第１のコイルと第２のコイルとを互いに磁気結合させないようにするとともに、前記第３のコイルと第４のコイルとを互いに磁気結合させないようにし、かつ前記第１のコイルと第３のコイルとを磁気結合させ、さらに前記第２のコイルと第４のコイルとを磁気結合させているため、コイルとコイルとの接続部から引き出された２本の引出電極にコンデンサを接続することができ、これにより、１ラインにつきコイル２個にコンデンサ２個を組み合わせることができるため、インピーダンスを増加させることなくより多くのノイズを除去することができ、また、インピーダンスが増加しないため、信号成分の損失が増加することもないという優れた効果を奏するものである。
【発明を実施するための最良の形態】
【００１１】
以下、本発明の一実施の形態におけるノイズフィルタについて、図面を参照しながら説明する。
【００１２】
図１は本発明の一実施の形態におけるノイズフィルタの分解上面図、図２は同ノイズフィルタの等価回路図、図３は同ノイズフィルタの斜視図である。
【００１３】
本発明の一実施の形態におけるノイズフィルタは、図１〜図３に示すように、積層体１１と、前記積層体１１を構成し下から順に積層された磁性体からなる第１〜第４の絶縁層１２ａ〜１２ｄと、前記第１の絶縁層１２ａに形成された第１、第２の導体１３，１４と、前記第２の絶縁層１２ｂに形成された第３、第４の導体１５，１６と、前記第３の絶縁層１２ｃに形成された第５、第６の導体１７，１８と、前記第４の絶縁層１２ｄに形成された第７、第８の導体１９，２０と、前記第１の導体１３と前記第３の導体１５を接続することによって形成された第１のコイル２１と、前記第２の導体１４と前記第４の導体１６を接続することによって形成された第２のコイル２２と、前記第５の導体１７と前記第７の導体１９を接続することによって形成された第３のコイル２３と、前記第６の導体１８と前記第８の導体２０を接続することによって形成された第４のコイル２４とを備えているものである。
【００１４】
そして、前記第２の絶縁層１２ｂにおいて前記第１のコイル２１と第２のコイル２２を接続し、その接続部２５から前記積層体１１の異なる側面１１ａ，１１ｂに第１、第２の引出電極２６ａ，２６ｂをそれぞれ引き出し、かつ前記第３の絶縁層１２ｃにおいて前記第３のコイル２３と第４のコイル２４を接続し、その接続部２７から前記積層体１１の異なる側面１１ａ，１１ｂに第３、第４の引出電極２８ａ，２８ｂをそれぞれ引き出し、そしてまた、前記第１の絶縁層１２ａにおいて前記第１のコイル２１と第２のコイル２２の引出部２１ａ，２２ａを前記積層体１１の一側面１１ａから引き出し、さらに、前記第４の絶縁層１２ｄにおいて前記第３のコイル２３と第４のコイル２４の引出部２３ａ，２４ａを前記積層体１１の他側面１１ｂから引き出すようにしたものである。
【００１５】
上記構成において、前記第１〜第４の絶縁層１２ａ〜１２ｄは、Ｎｉ−Ｚｎフェライト等の磁性材料により構成され、そして、下から第１の絶縁層１２ａ、第２の絶縁層１２ｂ、第３の絶縁層１２ｃ、第４の絶縁層１２ｄの順に設けられている。
【００１６】
また、前記第１〜第８の導体１３〜２０は、銀などの導電材料を渦巻状にめっきすることにより形成されている。
【００１７】
そしてまた、前記第１の絶縁層１２ａの上面には第１の導体１３、第２の導体１４が形成され、かつ第１の導体１３の一端部１３ａと第２の導体１４の一端部１４ａは、ともに積層体１１の一側面１１ａに露出している。すなわち、第１のコイル２１と第２のコイル２２の引出部２１ａ，２２ａは積層体１１の一側面１１ａに引き出されている。
【００１８】
さらに、前記第２の絶縁層１２ｂの上面には第３の導体１５、第４の導体１６が形成され、かつこの第３の導体１５と第４の導体１６とは接続されている。なお、この場合、前記第２の絶縁層１２ｂにはビア電極２９ａ，２９ｂが設けられているもので、第３の導体１５と第１の導体１３とをビア電極２９ａを介して接続することにより第１のコイル２１を構成している。また、これと同様に第４の導体１６と第２の導体１４とをビア電極２９ｂを介して接続することにより第２のコイル２２を構成している。したがって、前記第２の絶縁層１２ｂの上面においては、第１のコイル２１と第２のコイル２２が直列に接続され、かつこの直列に接続された第１のコイル２１と第２のコイル２２とによって第１のインダクタ部３０ａを構成している。
【００１９】
なお、前記第１の絶縁層１２ａは、上面において第１のコイル２１と第２のコイル２２を接続し、そして、前記第２の絶縁層１２ｂの上面において第１のコイル２１と第２のコイル２２の引出部２１ａ，２２ａを積層体１１の一側面１１ａに引き出すようにしてもよい。
【００２０】
上記したような構成とすることによって、第１のコイル２１の引出部２１ａ（第１の導体１３の一端部１３ａ）から入ってきた信号は、第２のコイル２２の引出部２２ａ（第２の導体１４の一端部１４ａ）から出て行くことになる。
【００２１】
また、前記第１のコイル２１と第２のコイル２２（第３の導体１５と第４の導体１６）との接続部２５からは第１、第２の引出電極２６ａ，２６ｂが引き出され、そして第１の引出電極２６ａは積層体１１の一側面１１ａに露出し、かつ第２の引出電極２６ｂは積層体１１の他側面１１ｂに露出している。
【００２２】
そしてまた、前記第３の絶縁層１２ｃの上面には第５の導体１７、第６の導体１８が形成され、かつこの第５の導体１７と第６の導体１８とは接続されている。さらに、前記第３のコイル２３と第４のコイル２４（第５の導体１７と第６の導体１８）との接続部２７からは第３、第４の引出電極２８ａ，２８ｂが引き出され、そして第３の引出電極２８ａは積層体１１の一側面１１ａに露出し、かつ第４の引出電極２８ｂは積層体１１の他側面１１ｂに露出している。
【００２３】
この場合、前記第５の導体１７と第３の導体１５は上面視にて略同一の形状となっており、かつノイズフィルタに信号が印加されると互いに同一方向に電流が流れるように設けられている。これにより、第１のコイル２１と第３のコイル２３とが磁気結合される。なお、第６の導体１８と第４の導体１６との関係も同様であり、この場合は、第２のコイル２２と第４のコイル２４とが磁気結合される。
【００２４】
さらに、前記第４の絶縁層１２ｄの上面には第７の導体１９、第８の導体２０が形成され、そして第７の導体１９の一端部１９ａと第８の導体２０の一端部２０ａは、ともに積層体１１の他側面１１ｂに露出している。すなわち、第３のコイル２３と第４のコイル２４の引出部２３ａ，２４ａは積層体１１の他側面１１ｂに引き出されている。なお、この場合、前記第４の絶縁層１２ｄにはビア電極２９ｃ，２９ｄが設けられているもので、第７の導体１９と第５の導体１７とをビア電極２９ｃを介して接続することにより第３のコイル２３を構成している。また、これと同様に第８の導体２０と第６の導体１８とをビア電極２９ｄを介して接続することにより第４のコイル２４を構成している。したがって、前記第３の絶縁層１２ｃの上面においては、第３のコイル２３と第４のコイル２４が直列に接続され、かつこの直列に接続された第３のコイル２３と第４のコイル２４とによって第２のインダクタ部３０ｂを構成している。
【００２５】
なお、前記第４の絶縁層１２ｄは、上面において第３のコイル２３と第４のコイル２４を接続し、そして前記第３の絶縁層１２ｃの上面において第３のコイル２３と第４のコイル２４の引出部２３ａ，２４ａを積層体１１の他側面１１ｂに引き出すようにしてもよい。
【００２６】
上記したような構成とすることによって、第３のコイル２３の引出部２３ａ（第７の導体１９の一端部１９ａ）から入ってきた信号は、第４のコイル２４の引出部２４ａ（第８の導体２０の一端部２０ａ）から出て行くことになる。なお、図１の矢印は、信号が第１のコイル２１の引出部２１ａから入って第２のコイル２２の引出部２２ａから出て行く場合、第３のコイル２３の引出部２３ａから入って第４のコイル２４の引出部２４ａから出て行く場合の信号の流れる方向を示す。
【００２７】
また、前記第７の導体１９、第８の導体２０の上面には、磁性体からなるダミー絶縁層（図示せず）が形成されている。
【００２８】
そしてまた、同一の絶縁層１２ａに形成された第１の導体１３と第３の導体１５の渦巻きの方向（渦巻きの内側から外側に向かう方向）は逆になっており、また、同一の絶縁層１２ｂに形成された第２の導体１４と第４の導体１６の渦巻きの方向も逆になっている。したがって、第１のコイル２１の引出部２１ａから入ってきた信号が、第２のコイル２２の引出部２２ａから出て行く場合には、第１のコイル２１に流れる電流の向きと第２のコイル２２に流れる電流の向きが逆になり、これにより、第１のコイル２１で発生する磁束の向きは第２のコイル２２で発生する磁束の向きと逆方向になる。また、第５〜第８の導体１７〜２０についても同様で、第３のコイル２３で発生する磁束の向きは第４のコイル２４で発生する磁束の向きと逆方向になっている。さらに、第１〜第４のコイル２１〜２４はすべて磁性体で覆われているもので、これらの結果、第１のコイル２１と第２のコイル２２とは互いに磁気結合せず、かつ第３のコイル２３と第４のコイル２４も互いに磁気結合しないようになっている。
【００２９】
また、図３に示すように、積層体１１の一側面１１ａには、第１〜第４の外部電極３１ａ〜３１ｄが順に形成され、第１の外部電極３１ａは第１のコイル２１の引出部２１ａ（第１の導体１３の一端部１３ａ）に、第２の外部電極３１ｂは第１の引出電極２６ａに、第３の外部電極３１ｃは第３の引出電極２８ａに、第４の外部電極３１ｄは第２のコイル２２の引出部２２ａ（第２の導体１４の一端部１４ａ）にそれぞれ接続されている。さらに、積層体１１の他側面１１ｂには、第５〜第８の外部電極３１ｅ〜３１ｈが順に形成され、第５の外部電極３１ｅは第３のコイル２３の引出部２３ａ（第７の導体１９の一端部１９ａ）に、第６の外部電極３１ｆは第４の引出電極２８ｂに、第７の外部電極３１ｇは第２の引出電極２６ｂに、第８の外部電極３１ｈは第４のコイル２４の引出部２４ａ（第８の導体２０の一端部２０ａ）にそれぞれ接続されている。
【００３０】
上記したように本発明の一実施の形態においては、互いに接続された第１のコイル２１および第２のコイル２２と、互いに接続された第３のコイル２３および第４のコイル２４と、前記第１〜第４のコイル２１〜２４を備えた積層体１１と、前記第１のコイル２１と第２のコイル２２との接続部２５から前記積層体１１の異なる側面にそれぞれ引き出された第１、第２の引出電極２６ａ，２６ｂと、前記第３のコイル２３と第４のコイル２４との接続部２７から前記積層体１１の異なる側面にそれぞれ引き出された第３、第４の引出電極２８ａ，２８ｂとを備え、前記第１のコイル２１と第２のコイル２２とを互いに磁気結合させないようにするとともに、前記第３のコイル２３と第４のコイル２４とを互いに磁気結合させないようにし、かつ前記第１のコイル２１と第３のコイル２３とを磁気結合させ、さらに前記第２のコイル２２と第４のコイル２４とを磁気結合させているため、コイルとコイルとの接続部から引き出された２本の引出電極にコンデンサを接続することができ、これにより、第１、第２のインダクタ部３０ａ，３０ｂ（１ライン）のそれぞれにおいてコイル２個にコンデンサ２個を組み合わせることができるため、インピーダンスを増加させることなくより多くのノイズを除去することができるという効果を得ることができるものである。
【００３１】
ここで、図４は本発明の一実施の形態におけるノイズフィルタにコンデンサを組み合わせた回路を示す図、図５は本発明のノイズフィルタと従来のノイズフィルタの減衰特性を比較した図である。
【００３２】
図４に示すように、１ラインにつきコイル２個とコンデンサ２個を組み合わせることができる、すなわち、第１のコイル２１および第２のコイル２２と２個のコンデンサ３４，３５の組み合わせ、並びに第３のコイル２３および第４のコイル２４と２個のコンデンサ３６，３７の組み合わせができるため、回路を形成するコイルとコンデンサの数が増加し、これにより、図５に示すように、本発明のノイズフィルタの減衰量を従来のノイズフィルタより大きくすることができるため、より多くのノイズを除去することができる。
【００３３】
また、本発明のノイズフィルタの減衰量を従来のノイズフィルタの減衰量と同等にしようとすれば、コイル２１〜２４のインピーダンスを小さくするだけで済み、そして、コイル２１〜２４のインピーダンスを小さくすれば、カットオフ周波数が高くなり、かつ直流抵抗成分を少なくすることができるため、信号成分の損失を少なくすることができる。すなわち、ノイズ除去効果を悪化させることなく、信号損失を改善することができるものである。
【００３４】
そしてまた、第１のコイル２１と第３のコイル２３とを磁気結合させ、さらに第２のコイル２２と第４のコイル２４も磁気結合させているため、コモンモードインピーダンスを増加させることができ、これにより、コモンモードノイズを除去することができる。
【００３５】
さらに、第１〜第４の絶縁層１２ａ〜１２ｄの上面には、それぞれ２つのコイルが形成されているため、薄型化が可能となる。
【００３６】
さらにまた、第１のコイル２１と第２のコイル２２とを互いに磁気結合させないようにするとともに、第３のコイル２３と第４のコイル２４も互いに磁気結合させないようにしているため、第１のコイル２１と第２のコイル２２との間、第３のコイル２３と第４のコイル２４との間にはそれぞれ相互インダクタンスが発生することはなく、これにより、引出電極２６ａ，２６ｂ，２８ａ，２８ｂにはインダクタンスが発生しないため、減衰特性が変化するのを防止することができる。すなわち、磁気結合された場合は、引出電極２６ａ，２６ｂ，２８ａ，２８ｂにインダクタンスが発生して、このインダクタンスとコンデンサとで直列共振が生じるため、減衰特性が変化してしまうものである。
【００３７】
図６は、第１のコイル２１と第２のコイル２２とが互いに磁気結合せず、かつ第３のコイル２３と第４のコイル２４も互いに磁気結合していない場合（非結合）と、磁気結合している場合（結合）との減衰特性を示す図である。
【００３８】
図６から明らかなように、磁気結合していない場合は所定の周波数帯で最も減衰量が多くなるが、磁気結合している場合は最も減衰量が多くなる周波数帯が変動する。
【００３９】
そして、第１のインダクタ部３０ａに接続された２つの引出電極２６ａ，２６ｂが積層体１１の異なる側面１１ａ，１１ｂに引き出され、かつ第２のインダクタ部３０ｂに接続された２つの引出電極２８ａ，２８ｂも積層体１１の異なる側面１１ａ，１１ｂに引き出されているため、積層体１１の一側面１１ａにも他側面１１ｂにも、第１のインダクタ部３０ａに接続された引出電極が１つ、第２のインダクタ部３０ｂに接続された引出電極が１つ引き出されるため、コンデンサを各々の引出電極２６ａ，２６ｂ，２８ａ，２８ｂに接続しようとすると、コンデンサを省スペースでかつ対称的に配置できる。
【００４０】
すなわち、図７に示すように、第１のインダクタ部３０ａの引出電極に接続された第１のコンデンサ３２ａが１つ、第２のインダクタ部３０ｂの引出電極に接続された第２のコンデンサ３２ｂが１つの場合は、ノイズフィルタ３３の片側には第１のコンデンサ３２ａのみ、もう片側には第２のコンデンサ３２ｂのみが配置されるため、２つのコンデンサの配置箇所の対称性はよくなく、無駄なスペースが生じる場合がある。すなわち、第１、第２のインダクタ部３０ａ，３０ｂの端部にしかコンデンサを接続できないため、コンデンサの配置場所に制限があった。一方、図８に示された本発明では、ノイズフィルタ３３の片側に第１のコンデンサ３２ａと第２のコンデンサ３２ｂを配置し、もう片側にも第１のコンデンサ３２ａと第２のコンデンサ３２ｂを配置できるため、２つのコンデンサの配置箇所の対称性はよく、無駄なスペースが生じないようにすることができる。また、コンデンサの配置の自由度も向上する。
【００４１】
なお、上記した本発明の一実施の形態におけるノイズフィルタにおいては、インダクタ部を２個形成しているが、インダクタ部を１個形成しても構わないものである。このとき、ノイズフィルタは第１のコイル２１と第２のコイル２２のみから構成され、そして、第１のコイル２１と第２のコイル２２との接続部２５から積層体１１の異なる側面にそれぞれ引き出された第１、第２の引出電極２６ａ，２６ｂを備えている。
【００４２】
この構成においても、コイル２１とコイル２２との接続部２５から引き出された２本の引出電極２６ａ，２６ｂにコンデンサを接続することができるため、コイル２個にコンデンサ２個を組み合わせることができ、これにより、インピーダンスを増加させることなくより多くのノイズを除去することができ、また、インピーダンスが増加しないため、信号成分の損失が増加するということもないという効果が得られるものである。
【産業上の利用可能性】
【００４３】
本発明に係るノイズフィルタは、信号成分の損失が増加することなく、より多くのノイズを除去することができるという効果を有するものであり、特にデジタル機器やＡＶ機器、情報通信端末等の各種電子機器に使用されるノイズフィルタ等に適用することにより有用となるものである。
【図面の簡単な説明】
【００４４】
【図１】本発明の一実施の形態におけるノイズフィルタの分解上面図
【図２】同ノイズフィルタの等価回路図
【図３】同ノイズフィルタの斜視図
【図４】同ノイズフィルタにコンデンサを組み合わせた回路を示す図
【図５】本発明のノイズフィルタと従来のノイズフィルタの減衰特性を比較した図
【図６】磁気結合していない場合と、磁気結合している場合の減衰特性を示す図
【図７】第１のコンデンサが１つ、第２のコンデンサが１つの場合のノイズフィルタとコンデンサとの配置関係を示す図
【図８】同ノイズフィルタにおけるノイズフィルタとコンデンサとの配置関係を示す図
【図９】従来のノイズフィルタの分解斜視図
【図１０】同ノイズフィルタにコンデンサを組み合わせた回路を示す図
【図１１】同ノイズフィルタの減衰特性を示す図
【符号の説明】
【００４５】
１１  積層体
１１ａ  積層体の一側面
１１ｂ  積層体の他側面
１２ａ〜１２ｄ  第１〜第４の絶縁層
１３  第１の導体
１４  第２の導体
１５  第３の導体
１６  第４の導体
１７  第５の導体
１８  第６の導体
１９  第７の導体
２０  第８の導体
２１  第１のコイル
２１ａ  第１のコイルの引出部
２２  第２のコイル
２２ａ  第２のコイルの引出部
２３  第３のコイル
２３ａ  第３のコイルの引出部
２４  第４のコイル
２４ａ  第４のコイルの引出部
２５  第１のコイルと第２のコイルの接続部
２６ａ  第１の引出電極
２６ｂ  第２の引出電極
２７  第３のコイルと第４のコイルの接続部
２８ａ  第３の引出電極
２８ｂ  第４の引出電極
【図１】
2010124270.tif 000003
【図２】
2010124270.tif 000004
【図３】
2010124270.tif 000005
【図４】
2010124270.tif 000006
【図５】
2010124270.tif 000007
【図６】
2010124270.tif 000008
【図７】
2010124270.tif 000009
【図８】
2010124270.tif 000010
【図９】
2010124270.tif 000011
【図１０】
2010124270.tif 000012
【図１１】
2010124270.tif 000013